(57)【要約】【課題】異なる周波数に従う無線通信において通信品質を維持する。【解決手段】アンテナ１１０を介して、第１周波数を有する信号により無線通信するための第１通信手段と、アンテナ２１０を介して、第２周波数を有する信号により無線通信するための第２通信手段と、第１および第２通信手段による通信時に第１通信手段による受信信号の強度および第２通信手段による送信信号の強度を取得し、受信信号および前送信信号の取得される各強度を用いて、第１通信手段による通信のためのデータレートを決定するための制御手段と、を備え、第１通信手段は、データレートに従って処理された情報を、第１周波数を有する信号により送信するための第１送信手段を含む。【選択図】図３
2012129852.tif 000002
【特許請求の範囲】
【請求項１】
第１アンテナを介して、第１周波数を有する信号により無線通信するための第１通信手段と、
第２アンテナを介して、第２周波数を有する信号により無線通信するための第２通信手段と、
前記第１および第２通信手段による通信時に前記第１通信手段による受信信号の強度および前記第２通信手段による送信信号の強度を取得し、前記受信信号および前記送信信号の取得される各強度を用いて、前記第１通信手段による通信のためのデータレートを決定するための制御手段と、を備え、
前記第１通信手段は、前記データレートに従って処理された情報を、前記第１周波数を有する信号により送信するための第１送信手段を含む、通信端末。
【請求項２】
前記制御手段は、
取得する前記受信信号および前記送信信号の各強度に基づく、当該受信信号の成分に占めるノイズの割合から、前記データレートを決定する、請求項１に記載の通信端末。
【請求項３】
前記第２周波数の整数倍周波数の帯域は、前記第１周波数の帯域に重複し、
前記制御手段は、
前記第２周波数の整数倍周波数を有する信号の強度を、前記送信信号の強度として取得する倍波強度取得手段を、含む、請求項１または２に記載の通信端末。
【請求項４】
前記第１通信手段は、所定データレートに従って処理された情報を、前記第１周波数を有する信号により送信するための第２送信手段を含み、
前記制御手段は、前記第１および第２通信手段による通信時に前記第１通信手段による受信信号の強度を取得し、前記所定のデータレートと取得される前記受信信号の強度とを用いて、前記第２通信手段による送信信号の強度を決定する、請求項１から３のいずれかに記載の通信端末。
【請求項５】
前記制御手段は、前記所定データレートに対応する、前記受信信号の成分に占める許容ノイズの割合を取得し、取得される割合と、取得される前記受信信号の強度とに基づき、前記第２通信手段が送信する信号の強度を決定する、請求項４に記載の通信端末。
【請求項６】
第１アンテナを介して、第１周波数を有する信号により無線通信するための第１通信手段と、
第２アンテナを介して、第２周波数を有する信号により無線通信するための第２通信手段と、を備え、
前記第１通信手段は、通信のための所定データレートに従って処理された情報を、前記第１信号により送信するための第１送信手段を含み、
前記第１および第２通信手段による通信時に前記第１通信手段による受信信号の強度を取得し、前記所定データレートと取得される前記受信信号の強度とを用いて、前記第２通信手段が送信する信号の強度を決定するための制御手段、をさらに備える、通信端末。
【請求項７】
前記制御手段は、
前記所定データレートに対応する、前記受信信号の成分に占める許容ノイズの割合を取得し、
取得される割合と、取得される前記受信信号の強度とに基づき、前記第２通信手段が送信する信号の強度を決定する、請求項６に記載の通信端末。
【請求項８】
第１アンテナを介して、第１周波数を有する第１信号により無線通信するステップと、
第２アンテナを介して、第２周波数を有する第２信号により無線通信するステップと、
前記第１および第２アンテナを介した通信時に、受信される前記第１信号の強度および送信される前記第２信号の強度を取得し、前記第１および第２信号の取得される各強度を用いて、前記第１信号による通信のためのデータレートを決定するステップと、を備え、
前記第１信号により無線通信するステップは、前記データレートに従って処理された情報を、前記第１信号により送信するステップを含む、通信方法。
【請求項９】
第１アンテナを介して、第１周波数を有する信号により無線通信するステップと、
第２アンテナを介して、第２周波数を有する信号により無線通信するステップと、を備え、
前記第１周波数を有する信号により無線通信するステップは、
通信のための所定データレートに従って処理された情報を、前記第１周波数を有する信号により送信するステップを含み、
前記第１および第２周波数を有する信号の無線通信時に前記第１周波数を有する受信信号の強度を取得し、前記所定データレートと取得される前記受信信号の強度とを用いて、前記第２周波数を有する送信信号の強度を決定するステップを、さらに備える、通信方法。
【発明の詳細な説明】
【技術分野】
【０００１】
本発明は、通信端末に関し、特に、異なる通信規格に従う無線通信機能を有する通信端末に関する。
【背景技術】
【０００２】
近年、ＣＤＭＡ（Code  Division  Multiple  Access：符号分割多重接続）方式に従った音声通信およびデータ通信の機能を備える携帯通信端末において、無線ＬＡＮ（Local  Area  Network）通信機能を搭載したものが普及している。無線ＬＡＮのチャンネルおよび周波数は、我が国の場合１チャンネルから１３チャンネルでその中心周波数は２４１２ＭＨｚから２４７２ＭＨｚである。
【０００３】
しかしながら、我が国において、２０１２年７月の周波数再編により、ＣＤＭＡ方式の携帯通信端末は送信周波数として８１５ＭＨｚから８３０ＭＨｚを使用する事が予定されている。この場合、ＣＤＭＡ送信周波数の３倍の周波数は２４４５ＭＨｚから２４９０ＭＨｚとなり、無線ＬＡＮの周波数と重複することとなる。
【０００４】
したがって、携帯通信端末がＣＤＭＡ信号を送信した場合に、その３倍波が無線ＬＡＮの周波数帯域においてはノイズとなり電波の干渉（以下、単に干渉という）を引き起こす。干渉により、無線ＬＡＮの受信感度は低下し、無線ＬＡＮによる通信は困難となり、無線ＬＡＮ通信の信頼性が損なわれるおそれがある。
【０００５】
干渉などによる影響を考慮して、無線ＬＡＮによる通信の信頼性を高めるために、たとえば非特許文献１によれば、送受信結果の履歴から使用可能なデータレートを推定する方法が提案されている。
【先行技術文献】
【非特許文献】
【０００６】
【非特許文献１】ＩＥＥＥ  ８０２．１１  無線ＬＡＮにおけるレートスイッチングアルゴリズム  電気学会論文誌Ｃ  １２４巻１号  ２００４年  ３３〜４０ページ
【発明の概要】
【発明が解決しようとする課題】
【０００７】
非特許文献１の方法によれば、データレートを適宜に更新することが可能となるので、送受信局間の通信品質が、端末装置の移動、フェージングおよびシャドーイングといった通信中の環境変化により変動するのを防止できる。
【０００８】
しかしながら、端末装置の移動、フェージングおよびシャドーイングといった通信中の環境変化による通信品質の変動は、緩やかで連続的なものであるため、非特許文献１の方法は、携帯通信端末が突如ＣＤＭＡ信号の送信を開始した場合の通信品質の急激な変化には対応できない。
【０００９】
それゆえに、本発明の目的は、異なる周波数に従う無線通信において通信品質を維持することができる通信端末を提供することである。
【課題を解決するための手段】
【００１０】
この発明のある局面に従う通信端末は、第１アンテナを介して、第１周波数を有する信号により無線通信するための第１通信手段と、第２アンテナを介して、第２周波数を有する信号により無線通信するための第２通信手段と、第１および第２通信手段による通信時に第１通信手段による受信信号の強度および前第２通信手段による送信信号の強度を取得し、受信信号および前送信信号の取得される各強度を用いて、第１通信手段による通信のためのデータレートを決定するための制御手段と、を備え、第１通信手段は、データレートに従って処理された情報を、第１周波数を有する信号により送信するための第１送信手段を含む。
【００１１】
好ましくは、制御手段は、取得する受信信号および送信信号の各強度に基づく、当該受信信号の成分に占めるノイズの割合から、データレートを決定する。
【００１２】
好ましくは、第２周波数の整数倍周波数の帯域は、第１周波数の帯域に重複し、制御手段は、第２周波数の整数倍周波数を有する信号の強度を、送信信号の強度として取得する倍波強度取得手段を、含む。
【００１３】
好ましくは、第１通信手段は、所定データレートに従って処理された情報を、第１信号により送信するための第２送信手段を含み、制御手段は、第１および第２通信手段による通信時に第１通信手段による受信信号の強度を取得し、所定のデータレートと取得される受信信号の強度とを用いて、第２通信手段による送信信号の強度を決定する。
【００１４】
好ましくは、制御手段は、所定データレートに対応する、受信信号の成分に占める許容ノイズの割合を取得し、取得される割合と、取得される受信信号の強度とに基づき、第２通信手段が送信する信号の強度を決定する。
【００１５】
この発明の他の局面に従う通信端末は、第１アンテナを介して、第１周波数を有する信号により無線通信するための第１通信手段と、第２アンテナを介して、第２周波数を有する信号により無線通信するための第２通信手段と、を備え、第１通信手段は、通信のための所定データレートに従って処理された情報を、前第１信号により送信するための第１送信手段を含み、第１および第２通信手段による通信時に第１通信手段による受信信号の強度を取得し、所定データレートと取得される受信信号の強度とを用いて、第２通信手段が送信する信号の強度を決定するための制御手段、をさらに備える。
【００１６】
好ましくは、制御手段は、所定データレートに対応する、受信信号の成分に占める許容ノイズの割合を取得し、取得される割合と、取得される受信信号の強度とに基づき、第２通信手段が送信する信号の強度を決定する。
【発明の効果】
【００１７】
本発明によれば、異なる周波数に従う無線通信において通信品質を維持することができる。
【図面の簡単な説明】
【００１８】
【図１】本実施の形態に係る携帯電話機の構成図である。
【図２】本実施の形態に係る携帯電話機の外観図である。
【図３】本実施の形態に係る携帯電話機の無線系のブロック構成図である。
【図４】図３の制御部の機能構成図である。
【図５】本実施の形態に係るフローチャートである。
【図６】本実施の形態に係る無線ＬＡＮの受信レベルの検出箇所を示す図である。
【図７】本実施の形態に係る無線ＬＡＮのデータレートの所要ＣＮの関係を示す図である。
【図８】本実施の形態に係るＣＤＭＡ送信出力レベルの検出箇所と３倍波の発生箇所を示す図である。
【図９】本実施の形態に係るＣＤＭＡ基本波と３倍波の関係を示す図である。
【図１０】本実施の形態に係る無線ＬＡＮのデータレートの計算結果のテーブルを示す図である。
【図１１】本実施の形態に係る選択可能な無線ＬＡＮのデータレートのテーブルを示す図である。
【図１２】他の実施の形態に係る携帯電話機の無線系のブロック構成図である。
【図１３】図１２の制御部の機能構成図である。
【図１４】他の実施の形態に係るフローチャートである。
【発明を実施するための形態】
【００１９】
以下、この発明の実施の形態について図面を参照して詳細に説明する。
本実施の形態では、通信端末として移動体端末の１例である携帯電話機を示すが、携帯電話機に限定されない。また、通信端末は、移動体端末に限定されず、移動しない固定端末に適用されてもよい。
【００２０】
また、実施の形態では、ＣＤＭＡ通信と無線ＬＡＮ通信を並行して、または同時に行う通信端末に適用する場合を説明するが、無線通信は、ＬＡＮ無線通信およびＣＤＭＡ通信に限定されるものではない。
【００２１】
また、ＣＤＭＡの規格では送信周波数と受信周波数が異なるので（送信帯域が８１５〜８３０ＭＨｚの場合は、目安として、受信周波数は送信周波数＋５５ＭＨｚである）、無線ＬＡＮの受信信号の帯域に３倍波の帯域が重なることはなく、干渉が生じることはない。したがって、実施の形態では、ＣＤＭＡ送信信号による電波が、無線ＬＡＮの送信信号に干渉する場合を想定して説明する。
【００２２】
図１には本実施の形態に係る携帯電話機の構成が示され、図２には携帯電話機の外観が示される。
【００２３】
図２を参照して、携帯電話機は正面において、画像などの各種情報を表示するためのＬＣＤ（Liquid  Crystal  Display)７、外部から操作可能なように設けられている数字キーなどの複数のキーからなる入力部８、通話のための音声を入出力をするマイク５４およびスピーカ５５を含む。入力部８はＣＤＭＡ通信の開始/終了を指示するために操作されるキー５１と無線ＬＡＮ通信の開始/終了を指示するために操作されるキー５２を含む。
【００２４】
図１を参照して携帯電話機は各部を集中的に制御および管理するためのＣＰＵ（Central  Processing  Unit）１、各種データおよびプログラムが格納されるメモリ２、画像データＤｉ（ｉ＝１、２、３・・・、ｎ）を一時的に格納するためのメモリ４０を内蔵するカメラコントローラ４、カメラコントローラ４により制御されて、被写体を撮影し、撮影結果得られた被写体の画像データＤｉを出力するカメラ部５、ＬＣＤコントローラ６、ＬＣＤコントローラ６により制御されるＬＣＤ７、入力部８、無線通信のための無線系９およびアンテナ１１０，２１０、各部に電源を供給するためのシステム電源１１、マイク５４およびスピーカ５５と音声の入出力を行うＩ／Ｆ（インターフェイス）回路１２を含む。
【００２５】
無線系９は、符号化／復号化機能を有する。符号化／復号化機能により、アンテナ１１０，２１０を介して送受信するデジタル信号について送信可能なように符号化する機能と受信したデジタル信号について内部で処理可能なように復号する機能とを有する。カメラコントローラ４はカメラ部５により撮像して逐次出力される画像データＤｉを入力してメモリ４０に一時的に格納する。一時的に格納される画像データＤｉは入力部８のキー操作に従う指示に応答して、メモリ４０を経由しメモリ２に最終的に保存される。
【００２６】
ここでは、説明を簡単にするための、メモリ２に格納された画像データを含む各種のデータは、無線ＬＡＮまたはＣＤＭＡ通信に従って外部に送信され、また、無線ＬＡＮまたはＣＤＭＡ通信に従って外部から受信したデジタル信号に従うデータは、メモリ２に格納され、またはＬＣＤ７に表示されると想定する。また、マイク５４から入力した音声はＣＤＭＡ通信に従って外部装置に送信されるとともに、ＣＤＭＡ通信に従って外部装置から受信した音声信号は、スピーカ５５から出力されると想定する。
【００２７】
本実施の形態では無線ＬＡＮは、ＩＥＥＥ８０２．１１ｇの規格に従うと想定するが、適用される規格はこれに限定されない。
【００２８】
図３には、本実施の形態に係る携帯電話機の無線系９のブロック構成が示される。図３を参照して無線系９は、中心周波数２４１２ＭＨｚから２４７２ＭＨｚの信号で通信する無線ＬＡＮ通信部１００と、ＣＤＭＡ通信部２００を含む。図３では、無線ＬＡＮ通信部１００とＣＤＭＡ通信部２００の動作を制御するための制御部３００が示される。制御部３００については後述する。
【００２９】
図３では、アンテナ１１０と２１０は、所定距離だけ隔てて配置されることにより、両アンテナ間では所定量のアイソレーション３３０（単位：ｄＢ）が確保される。
【００３０】
無線ＬＡＮ通信部１００は、アンテナ１１０、フィルタ１２０、スイッチ１３０、送信増幅器１４０、変復調回路１５０、ベースバンド回路１６０および受信増幅器１７０を含む。
【００３１】
アンテナ１１０は無線通信のための空中線である。フィルタ１２０は無線ＬＡＮの周波数帯域以外の信号を除去する。スイッチ１３０はフィルタ１２０に接続される端子と、送信増幅器１４０に接続される端子と、受信増幅器１７０に接続される端子とを有する。スイッチ１３０は、送信時には、フィルタ１２０側の端子と送信増幅器１４０側の端子とを接続し、送信増幅器１４０からの信号がフィルタ１２０に与えられるように、また、受信時には、フィルタ１２０側の端子と受信増幅器１７０側の端子とを接続し、フィルタ１２０からの信号が受信増幅器１７０に与えられるように動作する。スイッチ１３０の端子の接続切替の動作は、ＣＰＵ１により制御される。
【００３２】
送信増幅器１４０は、変復調回路１５０から入力した変調信号を増幅して出力する。受信増幅器１７０はスイッチ１３０を介してフィルタ１２０から入力した受信信号を増幅して、変復調回路１５０に出力する。
【００３３】
変復調回路１５０はベースバンド回路１６０から入力する符号化されたデジタル信号で搬送波信号を変調して、変調後の信号を送信増幅器１４０に出力し、また、受信増幅器１７０から入力する受信信号を復調して、ベースバンド回路１６０に出力する。
【００３４】
ベースバンド回路１６０は変調前および復調後の信号を処理する。ベースバンド回路１６０は、復号回路１６２と符号化回路１６１を含む。符号化回路１６１は、ＣＰＵ１から入力するデータ（アナログ信号）を、所定のデータレートに従って符号化する。符号化による得られたビットパターンを変復調回路１５０に出力する。また、ベースバンド回路１６０は変復調回路１５０から受信する復調後のデジタル信号（ビットパターン）を復号して、復号後の信号を出力する。なお、符号化回路１６１には、後述するデータレート信号３２０により、符号化のための所定のデータレートが与えられる。ここで、データレートは、情報の伝送速度、すなわち単位時間あたりに伝送可能な情報量を指す。
【００３５】
ＣＤＭＡ通信部２００は、アンテナ２１０、スイッチ２２０、基本波の送信周波数として８１５ＭＨｚから８３０ＭＨｚを使用する８００ＭＨｚ帯域通信部２２１、および２ＧＨｚ帯域通信部２２２を含む。
【００３６】
アンテナ２１０は無線通信のための空中線である。スイッチ２２０はアンテナ２１０を接続する端子と、８００ＭＨｚ帯域通信部２２１を接続する端子と、２ＧＨｚ帯域通信部２２２を接続する端子とを含む。スイッチ２２０は、使用する周波数帯域に従って、アンテナ２１０側の端子に、８００ＭＨｚ帯域通信部２２１側の端子および２ＧＨｚ帯域通信部２２２側の端子の一方を接続する。なお、使用する周波数帯域は、ＣＰＵ１から指示されて、スイッチ２２０の端子切替動作は、ＣＰＵ１により制御される。
【００３７】
８００ＭＨｚ帯域通信部２２１は、デュプレクサ２３０、送信増幅器２４０、フィルタ２５０、変復調回路２６０、ベースバンド回路２７０、受信増幅器２８０およびフィルタ２９０を含む。ベースバンド回路２７０は、後述する値ｆ０に従う周期で発振することにより基本波信号（以下、基本波という）を出力する発振器２７２を有する。ベースバンド回路２７０は変調前および復調後の信号を処理する。
【００３８】
デュプレクサ２３０は、入力する信号をＣＤＭＡに従う送信周波数と受信周波数に基づき処理する。具体的には、スイッチ２２０を介し入力する信号はフィルタ２９０に出力し、送信増幅器２４０から入力する信号はスイッチ２２０に出力する。
【００３９】
送信増幅器２４０はフィルタ２５０からの信号を増幅してデュプレクサ２３０に出力する。フィルタ２５０は変復調回路２６０からの変調後の信号を入力し、入力信号からＣＤＭＡの送信周波数帯域以外の信号成分を除去して送信増幅器２４０に出力する。
【００４０】
変復調回路２６０は、ベースバンド回路２７０からの基本波を送信するべきデジタル信号で変調して、変調後の信号をフィルタ２５０に出力し、また、受信増幅器２８０からの信号を復調して、ベースバンド回路２７０に出力する。
【００４１】
受信増幅器２８０は、フィルタ２９０からの受信信号を増幅して、変復調回路２６０に出力する。フィルタ２９０はデュプレクサ２３０からの受信信号から、ＣＤＭＡの受信周波数帯域以外の信号成分を除去して、受信増幅器２８０に出力する。
【００４２】
２ＧＨｚ帯域通信部２２２は、送受信するべき信号の周波数帯域が異なるが８００ＭＨｚ帯域通信部２２１と同様の内部構成と機能を備えるので、ここでは２ＧＨｚ帯域通信部２２２の内部構成の図示と説明を略す。
【００４３】
図４を参照して制御部３００は、受信レベル検知信号３１０に基づき、無線ＬＡＮの受信信号の強度（以下、ＲＳＳＩ（Received  Signal  Strength  Indicator）値（単位：ｄＢｍ）という）を取得するＲＳＳＩ取得部１０Ａ、送信出力検知信号３５０が指す電圧に基づき所定換算式によりＣＤＭＡ基本波の送信信号の強度（ｄＢｍ）を取得するＣＤＭＡ送信出力取得部１０Ｂ、無線ＬＡＮのデータレートを決定して、決定したデータレートを示すデータレート信号３２０を出力するデータレート選択部１０Ｃを含む。ＲＳＳＩ取得部１０Ａは、受信レベル検知信号３１０が示すアンテナ１１０の出力電圧と所定のアンテナファクタを用いてＲＳＳＩ値を算出する。
【００４４】
制御部３００の各部はＣＰＵ１が実行するプログラムまたは回路モジュールに相当する。プログラムは、予めメモリ２に格納されており、ＣＰＵ１が当該プログラムをメモリ２から読出し、実行することにより各部の機能が実現される。図４では、ＣＰＵ１の周辺回路として受信レベル検知信号３１０および送信出力検知信号３５０などの信号を入力してＣＰＵ１に出力するための入力Ｉ／Ｆ（interface）４、データレート信号３２０などのＣＰＵ１からの信号を出力するための出力Ｉ／Ｆ（interface）５およびメモリ２が示される。メモリ２には、後述するテーブル６００が格納される。図５には、当該プログラムに従う処理のフローチャートが示される。
【００４５】
図６に示すように、アンテナ１１０の出力端であるアンテナ端１８０には電圧検出回路（図示せず）が接続されて、電圧検出回路はアンテナ１１０から出力される電圧を検出して、検出する出力電圧の値を指す受信レベル検知信号３１０を出力する。したがって、受信レベル検知信号３１０によりＲＳＳＩ値が指示される。本実施の形態では、無線ＬＡＮの受信信号の強さ（ＲＳＳＩ値）を計測するポインをアンテナ端１８０としているが、この箇所に限定されるものではない。
【００４６】
図７には使用する無線ＬＡＮのデータレートＸと所要ＣＮ（Carrier  to  Noise  ratio）値（単位：ｄＢ）との関係の一例が示される。ＣＮ値は、無線ＬＡＮの受信信号の成分に占めるノイズの割合を指す。無線ＬＡＮのＩＥＥＥ８０２．１１ｇの規格によれば、６Ｍｂｐｓ（Ｍｅｇａｂｉｔ  Ｐｅｒ  Ｓｅｃｏｎｄ）、９ＭＨｚ／ｂｐｓ、１２ＭＨｚ／ｂｐｓ、１８ＭＨｚ／ｂｐｓ、２４ＭＨｚ／ｂｐｓ、３６ＭＨｚ／ｂｐｓ、４８ＭＨｚ／ｂｐｓ、５４ＭＨｚ／ｂｐｓのいずれかのデータレートを選択して使用する。
【００４７】
データレートＸを大きくするためにはＣＮ値を大きくする必要がある。たとえば図７のグラフのような関係となる。図７において所要ＣＮをデータレートＸの関数として表すと、近似式はＣＮ＝０．３８Ｘ−０．４５（式１）となる。所要のＣＮ値（単位：ｄＢ）は、アンテナ端１８０での値として規定する。
【００４８】
図８を参照して、３倍波の発生について説明する。図８では、送信増幅器２４０の出力端２９２には、送信増幅器２４０が出力する基本波の信号の強度である基本波送信出力（単位：ｄＢｍ）を検出するための検出器（図示せず）が接続される。検出器は、出力端２９２の電圧を検出し、送信出力検知信号３５０として出力する。
【００４９】
一般にＣＤＭＡの送信信号に関する値は、送信増幅器２４０の出力端２９２で検知し、検知した値をアンテナ端２９１までのロスの値を用いて補正することにより、アンテナ端２９１におけるＣＤＭＡの送信信号に関する値として取得する。なぜなら、アンテナ端２９１で直接送信信号に関する値を検知する場合には、当該検知によって送信信号にロスが発生し、受信側装置で受信感度が低下するからである。したがって、本実施の形態でも、当該補正を行った後の値を、アンテナ端２９１での基本波送信出力として導出する。なお、当該補正量は、予め検出器に与えられていると想定する。
【００５０】
ここで、ＣＤＭＡ通信のために使用される送信信号に関して、基本波の信号強度を指す値ｆｏ（単位：ｄＢｍ）と、基本波の周波数の３倍の周波数を有する３倍波の信号強度を指す値３ｆ０（単位：ｄＢｍ）を想定する。基本波の値ｆ０はアンテナ端２９１で検出され、３倍波の値３ｆ０はアンテナ端１８０で検出される。
【００５１】
図８では、ＣＤＭＡ送信信号の３倍波が発生する個所が示される。ＣＤＭＡ送信信号の３倍波は、スイッチ２２０の回路特性により、スイッチ２２０に入力する送信信号が歪む（すなわち、高周波信号成分が送信信号に混入する）ことによって発生する。３倍波の信号はアンテナ２１０から放射される。この３倍波の信号は、アイソレーション３３０によって十分に減衰させることができない場合には、無線ＬＡＮ通信部１００のアンテナ１１０により受信される。このような干渉により、無線ＬＡＮの受信信号に３倍波に起因した雑音が混じる。
【００５２】
上述の干渉を防止するために、本実施の形態では、制御部３００は、ＣＤＭＡの基本波の信号強度に応じて、無線ＬＡＮの送信信号に係るデータレートを可変に変更する。
【００５３】
データレートを可変に変更するために、本実施の形態では、予め、無線ＬＡＮのアンテナ１１０が受信し得る３倍波の値３ｆ０を測定する。たとえば、アンテナ端２９１における基本波の値ｆ０と３倍波の値３ｆ０の関係を測定するとともに、アイソレーション３３０の値（単位：ｄＢ）を測定する。そして、測定した値により、基本波の値ｆ０とアンテナ端１８０での３倍波の値３ｆ０の値の関係を取得する。この関係の取得について説明する。
【００５４】
図９には、本実施の形態に係る基本波の値ｆ０と３倍波の値３ｆ０の関係が例示される。図９を参照して、３倍波の値３ｆ０を、基本波の値ｆ０の関数ｆ(ｆ０)で近似すると、３ｆ０=ｆ(ｆ０)=２．５ｆ０−１１２．５（式２）となる。
【００５５】
ところで、この３倍波による干渉を考慮した場合、無線ＬＡＮのアンテナ端１８０で取得されるＣＮ値は、ＲＳＳＩ値から３倍波の値３ｆ０を引いた結果に等しい。つまり、ＣＮ＝ＲＳＳＩ−３ｆ０（式３）と算出される。
【００５６】
発明者らは、上述の（式１）〜（式３）に基づき、無線ＬＡＮデータレートＸをＲＳＳＩと値ｆ０の関数として表すと、Ｘ=（ＲＳＳＩ−２．５ｆ０＋１１２．９５）／０．３８（式４）が得られるとの知見を得た。図１０のテーブル５００には、たとえばＲＳＳＩが−８０（ｄＢｍ）から−５０（ｄＢｍ）且つ値ｆ０が０から２５（ｄＢｍ）の場合における、当該関数の（式４）を用いて算出したデータレートＸの値が示される。
【００５７】
図１１のテーブル６００には、図１０のテーブル５００のデータに基づいて、使用可能な無線ＬＡＮのデータレートの上限値が示される。テーブル６００には、ＲＳＳＩ値と、値ｆ０との複数個の組のそれぞれに関連付けて、対応するデータレートＸの値が格納される。テーブル６００の各組に対応のデータレートＸの値は、データレートＸが６、９、１２、１８、２４、３６、４８、５４（Ｍｂｐｓ）の値の中から、図１０のテーブル５００の当該組に対応する値よりも小さく、且つ当該値に最も近いものが選択されて決定される。
【００５８】
たとえば、ＲＳＳＩが−６５（ｄＢｍ）の場合に、値ｆ０が０（ｄＢｍ）のときは、使用可能な無線ＬＡＮのデータレートは５４（Ｍｂｐｓ）と決定され、値ｆ０が１５（ｄＢｍ）のときは使用可能な無線ＬＡＮのデータレートは２４（Ｍｂｐｓ）と決定され、値ｆ０が２０（ｄＢｍ）のときは使用可能な無線ＬＡＮのデータレートは存在しないことになる。本実施の形態では、テーブル６００は、予め作成されてメモリ２に格納される。
【００５９】
図５のフローチャートを参照しながら、動作について説明する。ここでは、携帯電話機は無線ＬＡＮによる通信をしている状態であると想定する。まず、ＣＰＵ１は、入力部８が受付けた操作に基づきＣＤＭＡ通信に従う送信の開始が指示されたか否かを判定する。この指示は、ユーザがキー５１を操作することにより受付けられる。ＣＰＵ１は、入力部８からＣＤＭＡ送信開始の指示を受付けた旨の信号を入力すると（ステップＳ１でＹＥＳ）、ＲＳＳＩ取得部１０ＡによりＲＳＳＩ値が取得され（ステップＳ３）、ＣＤＭＡ送信出力取得部１０Ｂにより値ｆ０が取得され（ステップＳ５）、データレート選択部１０Ｃは、取得されたＲＳＳＩ値と値ｆ０とに基づき、メモリ２のテーブル６００を検索し、無線ＬＡＮのデータレートを決定し（ステップＳ７）、処理を終了する。検索により、これら値に関連付けられているデータレートＸの値がテーブル６００から読出されて、読出された値は、データレート信号３２０としてベースバンド回路１６０に出力される。ベースバンド回路１６０の符号化回路１６１は、データレート信号３２０が指示するデータレートに基づき符号化処理する。これにより、取得されたＲＳＳＩ値と値ｆ０とに従う速度でデータが送信される。
【００６０】
図５では、ＣＤＭＡ送信が開始されるときにデータレートＸを決定するとしているが、ＣＤＭＡ送信とＬＡＮ通信とが行なわれる期間は、繰返しデータレートＸを取得するようにしてもよい。
【００６１】
このような制御によれば、ＣＤＭＡ送信出力に応じてその３倍波の出力は変化し、無線ＬＡＮへの干渉の影響の程度も異なる。それに応じて使用する無線ＬＡＮのデータレートを調整することにより、無線ＬＡＮ通信の通信品質を確保できる。
【００６２】
（他の実施の形態）
図１２には、他の実施の形態による無線系９のブロック構成が示される。図１２の構成と、図３の構成とを比較して異なる点は、制御部３００に代替して制御部４００を備える点と、ベースバンド回路２７０に代替してベースバンド回路２７１を備える点にある。図１２の他の構成は、図３に示す構成と同様である。
【００６３】
図１３には、制御部４００の機能構成の一例が示される。図１３を参照して制御部４００は、図４に示したＲＳＳＩ取得部１０ＡおよびＣＤＭＡ送信出力取得部１０Ｂ、データレート選択部１０Ｄ、ＣＤＭＡ送信出力選択部１０Ｅを含む。データレート選択部１０Ｄは、データレート選択部１０Ｃと同様に無線ＬＡＮのデータレートを決定して、決定したデータレートをデータレート信号３２０として出力する機能と、ＣＰＵ１により指定された（ユーザが入力部８を操作して指定した）データレートをデータレート信号３２０として出力する機能とを備える。ＣＤＭＡ送信出力選択部１０Ｅは、この指定されたデータレートと、取得されたＲＳＳＩ値とに基づきテーブル６００を検索する。検索により、これら値に関連付けられた値ｆ０をテーブル６００から読出し、読出した値ｆ０を送信出力信号３４０として、ベースバンド回路２７１に出力する。ベースバンド回路２７１の発振器２７２は、送信出力信号３４０が指示する値ｆ０の振幅を有する基本波を出力する。
【００６４】
これらの各部はＣＰＵ１が実行するプログラムまたは回路モジュールに相当する。プログラムは、予めメモリ２に格納されており、ＣＰＵ１が当該プログラムを読出し、実行することにより各部の機能が実現される。図１４には、当該プログラムに従う処理のフローチャートが示される。
【００６５】
図１３では、ＣＰＵ１は、入力Ｉ／Ｆ４を介して、受信レベル検知信号３１０および送信出力検知信号３５０などの信号を入力し、また、ＣＰＵ１からのデータレート信号３２０および送信出力信号３４０などの信号は出力Ｉ／Ｆ５を介して出力される。
【００６６】
ＣＤＭＡ送信出力選択部１０Ｅは、ＲＳＳＩ取得部１０Ａにより無線ＬＡＮの受信レベル（ＲＳＳＩ）が−６５（ｄＢｍ）と取得される場合に、ＣＰＵ１によって無線ＬＡＮのデータレートＸが２４（Ｍｂｐｓ）と指定されるときには、テーブル６００から読出される値ｆ０は１５ｄＢｍを指示し、また、データレートが５４（Ｍｂｐｓ）と指定されるときには、読出される値ｆ０は１０ｄＢｍ，５ｄＢｍおよび０ｄＢｍのいずれかとなる。
【００６７】
図１４のフローチャートを参照しながら、動作について説明する。ここでは、携帯電話機は無線ＬＡＮによる通信をしている状態であると想定する。まず、ＣＰＵ１は、入力部８からＣＤＭＡ送信開始の指示を受付けた旨の信号を入力すると（ステップＳ１でＹＥＳ）、データレート選択部１０ＣはＣＰＵ１から与えられるデータレートＸを入力し（ステップＳ９）、ＲＳＳＩ取得部１０ＡはＲＳＳＩ値を取得し（ステップＳ１１）、ＣＤＭＡ送信出力選択部１０Ｅは、これら取得された値に基づきテーブル６００を検索し、対応の値ｆ０を読出し（ステップＳ１３）、処理を終了する。検索により、読出された値ｆ０は、送信出力信号３４０としてベースバンド回路２７１に出力される。ベースバンド回路２７１の発振器２７２は、送信出力信号３４０が指示する値ｆ０に従う振幅の基本波を出力する。
【００６８】
図１３では、ＣＤＭＡ送信が開始されるときに値ｆ０を決定するとしているが、ＣＤＭＡ送信とＬＡＮ通信とが行なわれる期間は、繰返し値ｆ０を取得するようにしてもよい。
【００６９】
このような制御によれば、携帯電話機がＣＤＭＡ信号を送信する場合において、送信出力に応じて干渉を回避できるような最適な無線ＬＡＮのデータレートに設定することで、高い通信品質を奏する無線ＬＡＮの通信が可能となる。
【００７０】
このような制御によれば、所望の無線ＬＡＮのデータレートが使用される場合に、ＣＤＭＡ信号の基本波の送信出力レベルを選択的に切替えることができるから、上述した干渉の影響を回避し、無線ＬＡＮの通信品質の低下を防止できる。
【００７１】
なお、図３に示した機能を有する携帯電話機に、他の実施の形態に説明した機能も搭載するようにしてよい。その場合には、選択的に一方の機能を能動化して利用する。
【００７２】
上述の各実施の形態では、テーブル６００を検索することにより無線ＬＡＮのデータレートＸおよびＣＤＭＡ通信の基本波の値ｆ０を取得（決定）したが、テーブル６００の検索によらず、上述した一連の算出式を用いて算出することで取得（決定）するようにしてもよい。
【００７３】
上述の各実施の形態は、ＣＤＭＡ基本波の送信周波数が８１５ＭＨｚから８３０ＭＨｚである場合に有効であるが、この周波数に限定されるものではない。また、上述の実施の形態では、ＣＤＭＡ基本波の３倍波の周波数が、無線ＬＡＮの周波数と重複する場合を想定したが、重複する周波数は無線信号の規格によるので、３倍に限定されず整数倍（逓倍）を想定してよい。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
８  入力部、９  無線系、１０Ａ  ＲＳＳＩ取得部、１０Ｂ  ＣＤＭＡ送信出力取得部、１０Ｃ，１０Ｄ  データレート選択部、１０Ｅ  送信出力選択部、１１０，２１０  アンテナ、１６０，２７０，２７１  ベースバンド回路、１６１  符号化回路、１６２  復号回路、１８０，２９１  アンテナ端、２７２  発振器、２９２  出力端、３００，４００  制御部、３１０  受信レベル検知信号、３２０  データレート信号、３３０  アイソレーション、３４０  送信出力信号、３５０  送信出力検知信号、５００，６００  テーブル。
【図１】
2012129852.tif 000003
【図２】
2012129852.tif 000004
【図３】
2012129852.tif 000005
【図４】
2012129852.tif 000006
【図５】
2012129852.tif 000007
【図６】
2012129852.tif 000008
【図７】
2012129852.tif 000009
【図８】
2012129852.tif 000010
【図９】
2012129852.tif 000011
【図１０】
2012129852.tif 000012
【図１１】
2012129852.tif 000013
【図１２】
2012129852.tif 000014
【図１３】
2012129852.tif 000015
【図１４】
2012129852.tif 000016